(57)【要約】【課題】２種類のレーザ光源を備えた光ヘッド装置において、小型化を図ることができるとともに、多大な手間をかけずにベース上に光学素子を搭載することのできる構成を提供すること。【解決手段】光ヘッド装置１において、第１のレーザ光の第１の光路、および第２のレーザ光の第２の光路のうち、長い方の第１の光路に対して、焦点距離を短くするような正のパワーの倍率変換レンズ８を配置する。その際、倍率変換レンズ８については加圧バネ５０でベース３に仮固定し、その位置を調整してからベース３に接着固定する。【選択図】　　　図１
2004145976.tif 000002
【特許請求の範囲】
【請求項１】
第１のレーザ光を出射する第１のレーザ光源と、前記第１のレーザ光とは異なる波長の第２のレーザ光を出射する第２のレーザ光源と、前記第１および第２のレーザ光源から出射された第１および第２のレーザ光を光記録媒体に向かう共通光路に導く光路合成用光学素子と、前記共通光路上に配置された対物レンズと、前記第１および第２のレーザ光の光記録媒体からの戻り光を受光する受光素子とがベース上に搭載された光ヘッド装置において、
前記第１のレーザ光源から前記受光素子までに到る第１の光路は、前記第２のレーザ光源から前記受光素子に到るまでの第２の光路よりも長く、
前記第１の光路上のうち、前記共通光路から外れた位置には、前記第１のレーザ光の焦点位置を前記第２のレーザ光の焦点位置に合わせる正のパワーを備えた倍率変換レンズが配置され、
前記倍率変換レンズには、該倍率変換レンズの光軸方向における位置を調整するための位置調整機構が構成されていることを特徴とする光ヘッド装置。
【請求項２】
請求項１において、前記位置調整機構は、前記倍率変換レンズホルダを保持する倍率変換レンズホルダと、該倍率変換レンズホルダを光軸方向に案内可能に前記ベースに形成された案内面と、前記倍率変換レンズホルダを前記案内面に弾性をもって押圧する加圧バネとを有することを特徴とする光ヘッド装置。
【請求項３】
請求項２において、前記受光素子は、前記第１のレーザ光源から前記倍率変換レンズに到る光路の途中位置に配置された光路分離用光学素子によって前記戻り光が導かれるようになっていることを特徴とする光ヘッド装置。
【請求項４】
請求項３において、前記倍率変換レンズホルダは、前記倍率変換レンズが取り付けられた第１の面と、該第１の面と直交する第２の面と、前記第１の面および前記第２の面の双方に約４５°の角度を成す斜面と、前記第１の面と直交する方向に形成されて前記第１の面および前記斜面で開口する第１の貫通穴と、該第１の貫通孔と直交する方向に形成されて前記第２の面および前記斜面で開口する第２の貫通穴とを備えた略直角三角柱形状を有する一方、
前記光路分離用光学素子は、部分反射面が前記斜面と対向する位置で前記第１の貫通穴および前記第２の貫通穴に臨むように配置されていることを特徴とする光ヘッド装置。
【請求項５】
請求項４において、前記ベースは、前記案内面として、前記倍率変換レンズホルダの前記第２の面が摺動可能な第１の案内面と、前記倍率変換レンズホルダの上端面および下端面のいずれか一方の端面が摺動可能な第２の案内面とを備え、
前記加圧バネは、前記倍率変換レンズを前記第１の案内面に押し付ける第１の板バネ部と、前記倍率変換レンズを前記第２の案内面に押し付ける第２の板バネ部とを備えていることを特徴とする光ヘッド装置。
【発明の詳細な説明】
【０００１】
【発明の属する技術分野】
本発明は、記録形態の異なる光記録媒体の記録並びに再生を、それぞれに対応した２種類の波長帯域のレーザ光を出射する２種類のレーザ光源を用いて行う光ヘッド装置に関するものである。
【０００２】
【従来の技術】
光記録媒体としては、基板厚さ、記録密度等の記録形態が異なる、ＣＤ、ＣＤ−Ｒ、およびＤＶＤ等が知られている。高密度記録されたＤＶＤを再生するためには、波長６５０ｎｍあるいは６３５ｎｍ（短波長）のレーザ光を使用する必要がある。ＣＤの再生には、一般的には波長７６０〜８００ｎｍ（長波長）のレーザ光を使用することが多いが、ＤＶＤ再生用の短波長レーザ光を使用しても、ＣＤを再生することは可能である。しかし、ＣＤの発展形態である追記可能または書込可能なＣＤ−Ｒは、ＣＤの再生に一般的に用いられる長波長レーザ光によって最大の性能が得られるように設計されている。このため、ＣＤ−ＲおよびＤＶＤの双方を１台の光ヘッド装置で処理するためには、短波長の第１のレーザ光を出射可能な第１のレーザ光源と、長波長の第２のレーザ光を出射可能な第２のレーザ光源の２種類のレーザ光源を装置内に搭載しておく必要がある。
【０００３】
このような光ヘッド装置として、２系統の個別独立の光学系を用いると、単一光源で単一の光学系を備えたものに比べて当然に数多くの光学素子を必要とするため、装置が大型化するとともに、価格も上昇してしまう。
【０００４】
そこで、部分反射面を備えたプリズムなどの光路合成用光学素子によって、光記録媒体に向かう第１のレーザ光の光路と第２のレーザ光の光路を合成し、共通光路に対物レンズなどが配置されている。また、光記録媒体からの戻り光の光路の途中位置に光路分離用光学素子を配置し、この光路分離用光学素子によって戻り光を共通の受光素子に導くようにしている。
【０００５】
このような光ヘッド装置では、レイアウト上の制約などから第１のレーザ光源から受光素子に到る第１の光路と、第２のレーザ光源から受光素子に到る第２の光路とを比較したとき、第１の光路を第２の光路よりも長くせざるを得ない場合がある。このような場合、従来は、第２の光路のうち、共通光路から外れた光路上に第２のレーザ光の焦点位置を第１のレーザ光の焦点位置に合わせる負のパワーを備えた倍率変換レンズを配置し、この倍率変換レンズによって第２の光路の光学的な距離を延ばすことにより、第２のレーザ光に対する焦点位置の調整を行っている。
【０００６】
また、倍率変換レンズについては、光軸方向の位置を調整した後、固定する必要があるので、従来は、倍率変換レンズを円筒状のホルダに保持させ、このホルダをベース上で移動させて、倍率変換レンズの位置を調整している。
【０００７】
【発明が解決しようとする課題】
しかしながら、従来のように、短い方の第２の光路に対して、焦点距離を延ばすような負のパワーの倍率変換レンズを配置する構成では、第２の光路が長いままであるため、光ヘッド装置の小型化を図ることができないという問題点がある。また、焦点距離を延ばすような倍率変換レンズを用いた場合、発散角が大きな状態でレーザ光が光路合成用光学素子に入射することになるため、倍率変換レンズの取り付け位置に高い精度を要し、その調整作業などに多大な手間を必要とする。
【０００８】
以上の問題点に鑑みて、本発明の課題は、記録形態の異なる光記録媒体の記録並びに再生を、それぞれに対応した２種類の波長帯域のレーザ光を出射する２種類のレーザ光源を用いて行う光ヘッド装置において、小型化を図ることができるとともに、多大な手間をかけずにベース上に光学素子を搭載することのできる構成を提供することにある。
【０００９】
【課題を解決するための手段】
上記課題を解決するため、本発明では、第１のレーザ光を出射する第１のレーザ光源と、前記第１のレーザ光とは異なる波長の第２のレーザ光を出射する第２のレーザ光源と、前記第１および第２のレーザ光源から出射された第１および第２のレーザ光を光記録媒体に向かう共通光路に導く光路合成用光学素子と、前記共通光路上に配置された対物レンズと、前記第１および第２のレーザ光の光記録媒体からの戻り光を受光する受光素子とがベース上に搭載された光ヘッド装置において、前記第１のレーザ光源から前記受光素子までに到る第１の光路は、前記第２のレーザ光源から前記受光素子に到るまでの第２の光路よりも長く、前記第１の光路上のうち、前記共通光路から外れた位置には、前記第１のレーザ光の焦点位置を第２のレーザ光の焦点位置に合わせる正のパワーを備えた倍率変換レンズが配置され、当該倍率変換レンズには、光軸方向における位置を調整するための位置調整機構が構成されていることを特徴とする。
【００１０】
本発明では、対物レンズや受光素子を第１のレーザ光および第２のレーザ光に対して共通としているので、部品点数を減らすことができる。従って、装置の小型化、およびコストダウンを図ることができる。また、長い方の第１の光路に対して、焦点距離を短くするような正のパワーの倍率変換レンズを配置しているので、長い方の第２の光路を短くできる分、光ヘッド装置の小型化を図ることができる。また、焦点距離を短くするような倍率変換レンズであれば、焦点距離を延ばすような倍率変換レンズと比較して、レーザ光は、発散角が小さな状態で光路合成用光学素子に入射するので、倍率変換レンズの取り付け位置に高い精度を要せず、組み立て作業に必要な手間を軽減することができる。
【００１１】
本発明において、前記位置調整機構は、前記倍率変換レンズホルダを保持する倍率変換レンズホルダと、該倍率変換レンズホルダを光軸方向に案内可能に前記ベースに形成された案内面と、前記倍率変換レンズホルダを前記案内面に弾性をもって押圧する加圧バネとを有することが好ましい。このように構成すると、倍率変換レンズホルダは、加圧バネによって仮固定された状態で位置調整、およびその後の接着工程などを行うことができる。それ故、調整した状態から接着し終えるまでの間に倍率変換レンズの光軸がずれることがない。
【００１２】
本発明において、前記受光素子は、前記第１のレーザ光源から前記倍率変換レンズに到る光路の途中位置に配置された光路分離用光学素子によって前記戻り光が導かれるようになっていることが好ましい。このように構成すると、戻り光の光路も倍率変換レンズを通ってくるので、光記録媒体から受光素子までの光路を短縮できる。それ故、光ヘッド装置の小型化を図ることができる。
【００１３】
本発明において、前記倍率変換レンズホルダは、前記倍率変換レンズが取り付けられた第１の面と、該第１の面と直交する第２の面と、前記第１の面および前記第２の面の双方に約４５°の角度を成す斜面と、前記第１の面と直交する方向に形成されて前記第１の面および前記斜面で開口する第１の貫通穴と、該第１の貫通孔と直交する方向に形成されて前記第２の面および前記斜面で開口する第２の貫通穴とを備えた略直角三角柱形状を有する一方、前記光路分離用光学素子は、部分反射面が前記斜面と対向する位置で前記第１の貫通穴および前記第２の貫通穴に臨むように配置されている構成を採用することができる。このように構成すると、ハーフミラーなどといった光路分離用光学素子を避けるように倍率変換レンズホルダを配置できるので、倍率変換レンズを倍率変換レンズホルダを介してベースに搭載する構成を採用しても、光路分離用光学素子を搭載する部分を設計変更する必要がなく、かつ、光路分離用光学素子を倍率変換レンズホルダに近接して配置できるという利点がある。
【００１４】
本発明において、前記ベースは、前記案内面として、前記倍率変換レンズホルダの前記第２の面が摺動可能な第１の案内面と、前記倍率変換レンズホルダの上端面および下端面のいずれか一方の端面が摺動可能な第２の案内面とを備え、前記加圧バネは、前記倍率変換レンズを前記第１の案内面に押し付ける第１の板バネ部と、前記倍率変換レンズを前記第２の案内面に押し付ける第２の板バネ部とを備えていることが好ましい。このように構成すると、倍率変換レンズホルダは、ベースの直交する２つの案内面にガイドされるので、光軸ずれが発生することがなく、かつ、倍率変換レンズホルダの動きがスムーズである。
【００１５】
【発明の実施の形態】
以下に図面を参照して本発明を適用した光ヘッド装置を説明する。
【００１６】
図１は、本発明を適用した光ヘッド装置の底面図である。図２（Ａ）、（Ｂ）、（Ｃ）はそれぞれ、図１に示す光ヘッド装置の光学系を抜き出して示す説明図、この光学系を受光素子の側からみたときの説明図、および光学系を立ち上げミラーの側からみたときの説明図である。図３（Ａ）、（Ｂ）はそれぞれ、図１に示す光ヘッド装置に用いたベースの底面図、およびこのベース上に倍率変換レンズを搭載した状態を示す説明図である。図４（Ａ）、（Ｂ）、（Ｃ）、（Ｄ）はそれぞれ、図１に示す光ヘッド装置において倍率変換レンズを倍率変換レンズホルダに装着した状態を示す斜視図、この倍率変換レンズをベースに押し付け固定する加圧バネの斜視図、この加圧バネが倍率変換レンズホルダを押し付ける様子を示す斜視図、および倍率変換レンズホルダの斜面に対してハーフミラーを対向させた状態を示す説明図である。
【００１７】
図１および図２において、光ヘッド装置１はＣＤ、ＣＤ−Ｒ、およびＤＶＤの記録再生を行う光ヘッド装置であり、以下に説明する光学素子は各々、ベース３に搭載されている。ベース３は、装置フレーム（図示せず）に対して相互に平行となるように取り付けた２本のガイドシャフト（図示せず）に沿って摺動可能に取り付けられている。
【００１８】
光ヘッド装置１において、光学系は、波長６５０ｎｍあるいは６３５ｎｍ（短波長）の第１のレーザ光Ｌ１を出射するＤＶＤ用の第１のレーザダイオード４（第１のレーザ光源）と、波長７６０〜８００ｎｍ（長波長）の第２のレーザ光Ｌ２を出射するＣＤ用の第２のレーザダイオード５（第２のレーザ光源）とを備えている。本形態において、光学系は、第１のレーザダイオード４から出射された第１のレーザ光Ｌ１、および第２のレーザダイオード５から出射された第２のレーザ光Ｌ２を、光路合成用光学素子であるプリズム６によって、光記録媒体に向かう共通光路１０に導くようになっており、この共通光路１０上には、コリメートレンズ１１、立ち上げミラー１２、対物レンズ１３がこの順に配置されている。これらの光学素子のうち、対物レンズ１３は、レンズ駆動装置のレンズホルダ（図示せず）上に搭載され、このレンズホルダは、ホルダ支持部材の支軸に対して、摺動・回動可能に支持されている。
【００１９】
本形態の光ヘッド装置１では、第１のレーザダイオード４から出射された第１のレーザ光Ｌ１、および第２のレーザダイオード５から出射された第２のレーザ光Ｌ２をプリズム６に導くにあたって、第１のレーザダイオード４から光記録媒体に向かう光路上には、第１のレーザ光Ｌ１をプリズム６に向けて部分反射するともに、光記録媒体からの戻り光を部分透過して受光素子９に向かわせる戻り光分離用光学素子としてのハーフミラー７が配置されている。第２のレーザダイオード５からプリズム６に至る光路上には、グレーティングレンズ１４が配置されている。また、プリズム６に対して、ハーフミラー７と反対側には、モニター用の受光素子１６が配置されている。さらに、ハーフミラー７と受光素子９との間には、非点収差発生素子としてのセンサーレンズ１５が配置されている。
【００２０】
グレーティング１４は、所定の回折特性が付与されており、第２のレーザダイオード５から出射された第２のレーザ光Ｌ２を３ビームに分割することにより、周知の３ビーム法またはＤＰＰ法によってトラッキングエラー検出を行う。
【００２１】
このように各種光学素子を配置するため、図３（Ａ）に示すように、ベース３には、各種光学素子の形状にあった第１のレーザダイオード搭載部３４、第２のレーザダイオード搭載部３５、プリズム搭載部３６、ハーフミラー搭載部３７、受光素子搭載部３９、コリメートレンズ搭載部３１１、立ち上げミラー搭載部３１２、モニター用の受光素子搭載３１６などが形成されている。
【００２２】
このように本形態の光ヘッド装置１においては、ＤＶＤおよびＣＤ、ＣＤ−Ｒ用の２種類のレーザダイオード４、５を使用して、記録形態の異なるＣＤ、ＣＤ−Ｒ、およびＤＶＤ等の光記録媒体を記録再生し、かつ、コリメートレンズ１１、立ち上げミラー１２、および対物レンズ１３によって共通光路１０を構成しているので、各レーザダイオード４、５に対応した個別独立の光学系を構成する必要がない。
【００２３】
但し、このような光ヘッド装置１では、光学素子の共有化を図ることができる代わりに、第１のレーザダイオード４から受光素子９に到る第１の光路と、第２のレーザダイオード５から受光素子９に到る第２の光路とを空間的に等距離とすることができず、本形態のように、第１のレーザダイオード４から受光素子９に到る第１の光路を、第２のレーザダイオード５から受光素子９に到る第２の光路よりも長くせざるを得ないことがある。
【００２４】
そこで、本形態では、図３（Ａ）に示すベース３には、第１の光路上のうち、共通光路１０から外れた位置、すなわち、ハーフミラー搭載部３７とプリズム搭載部３６との間に倍率変換レンズ搭載部３８が形成され、そこには、図１および、図２に示すように、第１のレーザ光Ｌ１の焦点位置を第２のレーザ光Ｌ２の焦点位置に調整する正のパワーを備えた倍率変換レンズ８が配置されている。
【００２５】
ここで、倍率変換レンズ８については、光軸方向における位置を調整した後、位置を固定する必要があるので、本形態では、図３（Ｂ）に示すように、倍率変換レンズ８を保持する倍率変換レンズホルダ２０、ベース３側において倍率変換レンズホルダ２０を光軸方向に案内する案内面４０、および倍率変換レンズホルダ２０をベース３に向けて押し付ける加圧バネ５０からなる位置調整機構２が構成されている。
【００２６】
この位置調整機構２において、倍率変換レンズホルダ２０は、図４（Ａ）にし示すように、倍率変換レンズ８が取り付けられた第１の面２１と、この第１の面２１と直交する第２の面２２と、第１の面２１および第２の面２２の双方に約４５°の角度を成す斜面２３とを有する略直角三角柱形状の樹脂成形品であり、倍率変換レンズホルダ２０には、第１の面２１と直交する方向に形成されて第１の面２１および斜面２２で開口する第１の貫通穴２６と、第１の貫通孔２６と直交する方向に形成されて第２の面２２および斜面２３で開口する第２の貫通穴２６とが形成されている。
【００２７】
ここで、倍率変換レンズホルダ２０については、ベース３が樹脂成形品であれば同一の樹脂材料で形成するなど、ベース３と熱膨張係数が等しい材料から構成されている。従って、温度変化によって光軸ずれが発生することがないので、信頼性が高い。
【００２８】
図３（Ａ）、（Ｂ）に示すように、ベース３に形成された案内面４０は、倍率変換レンズホルダ２０の第２の面２２が摺動可能な第１の案内面４１と、倍率変換レンズホルダ２０の端面２４が摺動可能な第２の案内面４２とから構成されている。
【００２９】
また、図４（Ｂ）に示すように、加圧バネ５０は、ベース３に対してネジ止めされる取付部５５と、この取付部５５からわずかに屈曲した後、水平に延びる第１の板バネ部５１と、取付部５５から垂直に延びた後、垂直姿勢のまま水平に延びた第２の板バネ部５２とを有しており、第１の板バネ部５１の先端、および第２の板バネ部５２の先端には、小突起からなる当接部５１１、５２１が形成されている。
【００３０】
このような構成の光ヘッド装置１を組み立てる際には、まず、倍率変換レンズ８をベース３の倍率変換レンズ搭載部３８に仮固定するとともに、レーザダイオード４、５、受光素子９、１６を除く光学素子をベース３上に固定する。
【００３１】
ここで、倍率変換レンズ８については、図３（Ｂ）および図４（Ｃ）に示すように、倍率変換レンズ８を倍率変換レンズホルダ２０に装着した後、倍率変換レンズホルダ２０をベース３の倍率変換レンズ搭載部３８に配置し、加圧バネ５０をベース３上でネジ止めする。その結果、加圧バネ５０の第１の板バネ部５１は、当接部５１１を介して倍率変換レンズホルダ２０を第１の案内面４１に押し付ける一方、第２の板バネ部５２は、当接部５１２を介して倍率変換レンズホルダ２０を第２の案内面４２に押し付ける。この状態では仮固定の状態にあり、倍率変換レンズホルダ２０を光軸方向に移動させることができる。
【００３２】
このようにして、倍率変換レンズ８をベース３の倍率変換レンズ搭載部３８に仮固定した状態で、図３（Ｂ）および図４（Ｄ）に示すように、ハーフミラー７は、部分反射面が斜面２３と対向する位置で第１の貫通穴２６、および第２の貫通穴２７に臨むように配置されることになる。
【００３３】
この状態にしてから、まず、第２のレーザダイオード５および受光素子９をベース３に接着固定する。そして、光記録媒体を回転駆動しながら第２のレーザダイーオード５を点灯させ、第２のレーザダイーオード５から第２のレーザ光Ｌ２を出射させてその戻り光を受光素子９でモニターし、そのモニター結果に基づいて、倍率変換レンズホルダ２０を光軸方向に移動させ、その位置調整を行った後、倍率変換レンズホルダ２０をベース３に対して、例えば、シアノ−アクリル系の接着剤により接着固定する。ここで、倍率変換レンズホルダ２０を光軸方向に移動させる際、倍率変換レンズホルダ２０は、ベース３の直交する２つの案内面４１、４２にガイドされるので、光軸ずれが発生することがなく、かつ、倍率変換レンズホルダ２０の動きがスムーズである。なお、倍率変換レンズホルダ２０のベース３への固定については、接着剤による固定に限らず、加圧バネ５０のみで固定してもよい。
【００３４】
次に、光記録媒体を回転駆動しながら第１のレーザダイオード４を点灯させ、第１のレーザダイオード４から第１のレーザ光Ｌ１を出射させてその戻り光を受光素子９でモニターし、そのモニター結果に基づいて、第１のレーザダイオード４の位置を調整してから、第１のレーザダイオード４をベース３に接着固定する。
【００３５】
このように構成した光ヘッド装置１において、第１のレーザダイオード４から出射された第１のレーザ光Ｌ１は、一部がハーフミラー７の部分反射面によって反射され、その光軸が９０度折り曲げられて倍率変換レンズ８に入射し、この倍率変換レンズ９を通ってプリズム６に入射する。そして、プリズム６に入射した第１のレーザ光Ｌ１は、一部がプリズム６の部分反射面によって反射され、その反射光は、その光軸が９０度折り曲げられて共通光路１０のコリメートレンズ１１に向かう。
【００３６】
一方、第２のレーザダイオード５から出射された第２のレーザ光Ｌ２は、グレーティング１４を透過した後、プリズム６に入射する。そして、プリズム６に入射した第２のレーザ光Ｌ２は、一部がプリズム６の部分反射面を透過して共通光路１０のコリメートレンズ１１に入射する。
【００３７】
このようにしてコリメートレンズ１１に導かれたレーザ光Ｌ１、Ｌ２は、平行光束に変換された後、立ち上げミラー１２で光軸が９０度折り曲げられて対物レンズ１３に導かれ、この対物レンズ１３を介して、第１のレーザ光Ｌ１は光記録媒体であるＤＶＤの記録面に光スポットとして集光する一方、第２のレーザ光Ｌ２は光記録媒体であるＣＤあるいはＣＤ−Ｒの記録面に光スポットとして集光する。
【００３８】
また、光記録媒体で反射したレーザ光Ｌ１、Ｌ２の戻り光は、対物レンズ１３、立ち上げミラー１２、およびコリメートレンズ１１を経て、再びプリズム６に戻る。そして、これらの戻り光は、一部がプリズム６の部分反射面でその光軸が９０度折り曲げられて、倍率変換レンズ８に入射し、この倍率変換レンズ９を通ってハーフミラー７に戻る。そして、戻り光は、一部がハーフミラー７の部分反射面を透過してセンサレンズ１５に入射し、このセンサレンズ１５を通って受光素子９に至る。ここで、センサレンズ１５は、双方のレーザ光Ｌ１、Ｌ２の戻り光に対して非点収差を発生させるためのレンズである。このため、受光素子９によって検出されるレーザ光Ｌ１、Ｌ２の戻り光は、センサレンズ１５を通ることにより非点収差が付与される。このため、周知の通り、受光素子９に４分割受光素子を形成することにより、これらの分割受光素子の光電流量からフォーカシング補正を行うことができる。
【００３９】
このように本形態では、対物レンズ１３や受光素子９を第１のレーザ光Ｌ１および第２のレーザ光Ｌ２に対して共通としているので、部品点数を減らすことができる。従って、装置の小型化、およびコストダウンを図ることができる。
【００４０】
また、第１のレーザ光Ｌ１の第１の光路、および第２のレーザ光Ｌ２の第２の光路のうち、長い方の第１の光路に対して、焦点距離を短くするような正のパワーの倍率変換レンズ８を配置しているので、長い方の光路を短くすることができ、光ヘッド装置１の小型化を図ることができる。
【００４１】
また、焦点距離を短くするような倍率変換レンズ８であれば、焦点距離を延ばすような倍率変換レンズと比較して、発散角が小さな状態でレーザ光がプリズム６に入射することになるので、度取り付け位置に高い精度を要しないため、組み立て作業に必要な手間や労力を軽減することができる。
【００４２】
また、受光素子９は、第１のレーザダイオード４から倍率変換レンズ８に到る光路の途中位置に配置されたハーフミラ−７によって戻り光が導かれるため、戻り光も倍率変換レンズ８を通ることなる。従って、光記録媒体から受光素子９までの光路を短縮できるので、光ヘッド装置１の小型化を図ることができる。
【００４３】
さらに、位置調整機構２では、加圧バネ５０で倍率変換レンズホルダ２０を仮止めする構成であるため、倍率変換レンズホルダ２０を加圧バネ５０によって仮固定した状態で位置調整、およびその後の接着工程などを行うことができる。それ故、調整した状態から接着し終えるまでの間に倍率変換レンズ８の光軸がずれることがない。
【００４４】
さらにまた、倍率変換レンズホルダ２０は、略直角三角柱形状を有するため、その斜面２３を利用してハーフミラー７を避けるように配置できる。従って、倍率変換レンズ８を倍率変換レンズホルダ２０を介してベース３に搭載する構成を採用しても、ハーフミラー搭載部３７を設計変更する必要がなく、かつ、ハーフミラー７を倍率変換レンズホルダ２０に近接して配置できるという利点がある。
【００４５】
【発明の効果】
以上説明したように、本発明の光ヘッド装置では、対物レンズや受光素子を第１のレーザ光および第２のレーザ光に対して共通としているので、部品点数を減らすことができる。従って、装置の小型化、およびコストダウンを図ることができる。また、長い方の第１の光路に対して、焦点距離を短くするような正のパワーの倍率変換レンズを配置しているので、光路を短くできる分、光ヘッド装置の小型化を図ることができる。また、焦点距離を短くするような倍率変換レンズであれば、焦点距離を延ばすような倍率変換レンズと比較して、レーザ光は、発散角が小さな状態で光路合成用光学素子に入射するので、取り付け位置に高い精度を要せず、組み立て作業に必要な手間を軽減することができる。
【図面の簡単な説明】
【図１】本発明を適用した光ヘッド装置の要部の底面図である。
【図２】（Ａ）、（Ｂ）、（Ｃ）はそれぞれ、図１に示す光ヘッド装置の光学系を抜き出して示す説明図、この光学系を受光素子の側からみたときの説明図、および光学系を立ち上げミラーの側からみたときの説明図である。
【図３】（Ａ）、（Ｂ）はそれぞれ、図１に示す光ヘッド装置に用いたベースの底面図、およびこのベース上に倍率変換レンズを搭載した状態を示す説明図である。
【図４】（Ａ）、（Ｂ）、（Ｃ）、（Ｄ）はそれぞれ、図１に示す光ヘッド装置において倍率変換レンズを倍率変換レンズホルダに装着した状態を示す斜視図、この倍率変換レンズをベースに押し付け固定する加圧バネの斜視図、この加圧バネが倍率変換レンズホルダを押し付ける様子を示す斜視図、および倍率変換レンズホルダの斜面に対してハーフミラーを対向させた状態を示す説明図である。
【符号の説明】
１　光ヘッド装置
２　位置調整機構
３　ベース
４　第１のレーザダイオード（第１のレーザ光源）
５　第２のレーザダイオード（第２のレーザ光源）
６　プリズム（光路合成用光学素子）
７　ハーフミラー（光路分離用光学素子）
８　倍率変換レンズ
９　受光素子
１０　共通光路
１１　コリメートレンズ
１２　立ち上げミラー
１３　対物レンズ
１４　グレーティング
１５　センサレンズ
２０　倍率変換レンズホルダ
２１　倍率変換レンズホルダの第１の面
２２　倍率変換レンズホルダの第２の面
２３　倍率変換レンズホルダの斜面
４０　ベースの案内面
４１　第１の案内面
４２　第２の案内面
５０　加圧バネ
５１　第１の板バネ部
５２　第２の板バネ部
Ｌ１　第１のレーザ光
Ｌ２　第２のレーザ光
【図１】
2004145976.tif 000003
【図２】
2004145976.tif 000004
【図３】
2004145976.tif 000005
【図４】
2004145976.tif 000006